(57)【要約】【課題】セキュリティ性を向上させ得る光学的情報読取装置を提供する。【解決手段】各導通部５１〜５６および締結状態検知回路２４により、筐体１１に締結される各ねじ４１〜４６の締結状態を検出するとともに、主制御回路２１により、検出される各ねじ４１〜４６の取り外し順序が判定用順序に一致するか否かについて判定される。この判定用順序は、ステップＳ１０１の処理により異なる順序に変更されるか、開封用情報コードが読み取られることに応じてステップＳ１０７の処理により開封用順序に変更される。そして、各ねじ４１〜４６の取り外し順序が判定用順序に一致しないとの判定、すなわち、筐体１１の不正開封であるとの判定に応じて、メモリ２３の読取情報が消去される。【選択図】図４
2010118041.tif 000002
【特許請求の範囲】
【請求項１】
情報コードを光学的に読み取る読取手段と、
前記読取手段により読み取られた読取情報を記憶する記憶手段と、
第１ケースおよび第２ケースを有し両ケースが複数の締結部材による締結により組み付けられて前記記憶手段を収容する筐体と、
を備える光学的情報読取装置であって、
前記各締結部材の締結状態を検出可能な検出手段と、
前記検出手段により検出される前記各締結部材の取り外し順序が、筐体の不正開封か否かを判定するための判定用順序に一致するか否かを判定する判定手段と、
前記判定用順序を異なる順序に変更する第１順序変更手段と、
前記読取手段により開封用情報コードが読み取られると前記判定用順序を所定の順序に変更する第２順序変更手段と、
前記判定手段による前記取り外し順序が前記判定用順序に一致しないとの判定に応じて前記記憶手段に記憶される前記読取情報の少なくとも一部を消去する消去手段と、
を備えることを特徴とする光学的情報読取装置。
【請求項２】
前記消去手段に代えて、前記判定手段による前記取り外し順序が前記判定用順序に一致しないとの判定に応じて前記読取情報を取り扱うための機能を制限する機能制限手段を備えることを特徴とする請求項１に記載の光学的情報読取装置。
【請求項３】
前記判定手段による前記取り外し順序が前記判定用順序に一致しないとの判定に応じて正常開封でない旨を開封者に報知する報知手段を備えることを特徴とする請求項１または２に記載の光学的情報読取装置。
【請求項４】
前記判定手段による前記取り外し順序が前記判定用順序に一致しないとの判定に応じて周囲に警報を発する警報手段を備えることを特徴とする請求項１〜３のいずれか一項に記載の光学的情報読取装置。
【請求項５】
前記第１順序変更手段は、前記第１ケースと前記第２ケースとが組み付けられるかまたは分離される際に、前記判定用順序を異なる順序に変更することを特徴とする請求項１〜４のいずれか一項に記載の光学的情報読取装置。
【請求項６】
前記第１順序変更手段は、前記読取手段への電力供給が開始される際に、前記判定用順序を異なる順序に変更することを特徴とする請求項１〜４のいずれか一項に記載の光学的情報読取装置。
【請求項７】
前記第１ケースおよび前記第２ケースのいずれか一方には、電池を収容するための収容部が形成されるとともにこの収容部を閉塞するための電池蓋が着脱可能に取り付けられており、
前記第１順序変更手段は、前記電池蓋により前記収容部が閉塞されるかまたは開放される際に、前記判定用順序を異なる順序に変更することを特徴とする請求項１〜４のいずれか一項に記載の光学的情報読取装置。
【請求項８】
開封者が前記所定の順序を設定可能な順序設定手段を備えることを特徴とする請求項１〜７のいずれか一項に記載の光学的情報読取装置。
【請求項９】
前記第１順序変更手段は、前記判定手段による前記取り外し順序が前記判定用順序に一致しないとの判定に応じて前記判定用順序を異なる順序に変更することを特徴とする請求項１〜８のいずれか一項に記載の光学的情報読取装置。
【請求項１０】
前記判定手段による前記取り外し順序が前記判定用順序に一致しない場合に前記消去手段による消去を回避するか否かを判定する回避判定手段を備え、
前記判定手段による前記取り外し順序が前記判定用順序に一致しないとの判定が規定回数を超えてなされると前記回避判定手段による判定を実施することなく前記消去手段による消去を実施することを特徴とする請求項１、３〜９のいずれか一項に記載の光学的情報読取装置。
【請求項１１】
前記判定手段による前記取り外し順序が前記判定用順序に一致しない場合に前記機能制限手段による制限を回避するか否かを判定する回避判定手段を備え、
前記判定手段による前記取り外し順序が前記判定用順序に一致しないとの判定が規定回数を超えてなされると前記回避判定手段による判定を実施することなく前記機能制限手段による制限を実施することを特徴とする請求項２に記載の光学的情報読取装置。
【発明の詳細な説明】
【技術分野】
【０００１】
本発明は、読取情報の不正利用を防止し得る機能を有する光学的情報読取装置に関するものである。
【背景技術】
【０００２】
光学的情報読取装置では、ユーザ情報や商品情報などの機密情報が取り扱われるため、当該装置が不正に開封された場合でも機密情報の漏洩を防止する必要がある。この対策として、装置の開封を検知した時にメモリに記憶される機密情報等を消去するなどのセキュリティ対策が実施される。一方、製品のメンテナンスのためには筐体の開封が必要であり、この開封時には上記セキュリティ対策を実施しないようにする必要がある。
【０００３】
そのため、読取情報の不正利用を防止し得る機能を有する光学的情報読取装置に関する技術として、下記特許文献１に示す電子装置が知られている。この電子装置では、上ケース部材と下ケース部材とが４つのねじで固定されており、各ねじが外されたか否かを電気的に検知可能に構成されている。そして、各ねじが予め定められた順序通りに外されるか否かを判定し、定められた順序通りに外されない場合には、不正対応処理を行いメモリに記憶された各データを消去する。
【先行技術文献】
【特許文献】
【０００４】
【特許文献１】特開平１０−３２０５１６号公報
【発明の概要】
【発明が解決しようとする課題】
【０００５】
しかしながら、上述のような構成では、ねじの取り外し順序が唯一のパターンに限定されて変更できないために、この取り外し順序が知られてしまうと容易に開封されてしまい、セキュリティ対策としては不十分であるという問題がある。
【０００６】
本発明は、上述した課題を解決するためになされたものであり、その目的とするところは、セキュリティ性を向上させ得る光学的情報読取装置を提供することにある。
【課題を解決するための手段】
【０００７】
上記目的を達成するため、特許請求の範囲に記載の請求項１の光学的情報読取装置では、情報コードを光学的に読み取る読取手段（２１）と、前記読取手段により読み取られた読取情報を記憶する記憶手段（２３）と、第１ケース（１２）および第２ケース（１３）を有し両ケースが複数の締結部材（４１〜４６）による締結により組み付けられて前記記憶手段を収容する筐体（１１）と、を備える光学的情報読取装置（１０）であって、前記各締結部材の締結状態を検出可能な検出手段（２４，５１〜５６）と、前記検出手段により検出される前記各締結部材の取り外し順序が、筐体の不正開封か否かを判定するための判定用順序に一致するか否かを判定する判定手段（２１）と、前記判定用順序を異なる順序に変更する第１順序変更手段（２１）と、前記読取手段により開封用情報コードが読み取られると前記判定用順序を所定の順序に変更する第２順序変更手段（２１）と、前記判定手段による前記取り外し順序が前記判定用順序に一致しないとの判定に応じて前記記憶手段に記憶される前記読取情報の少なくとも一部を消去する消去手段（２５）と、を備えることを技術的特徴とする。
【発明の効果】
【０００８】
請求項１の発明では、検出手段は筐体に締結される締結部材の締結状態を検出し、判定手段は検出手段により検出される各締結部材の取り外し順序が判定用順序に一致するか否かを判定する。この判定用順序は、第１順序変更手段により異なる順序に変更されるか、開封用情報コードが読み取られることに応じて第２順序変更手段により所定の順序に変更される。そして、判定手段による各締結部材の取り外し順序が判定用順序に一致しないとの判定、すなわち、筐体の不正開封であるとの判定に応じて、消去手段により記憶手段の読取情報の少なくとも一部が消去される。
【０００９】
読取情報を消去させることなく筐体を開封するためには、各締結部材の取り外し順序を判定用順序に一致させる必要がある。この判定用順序は第１順序変更手段により例えばランダムに異なる順序に変更されることから、不正開封者は判定用順序を知ることができないので、不正開封者が読取情報を消去させることなく筐体を開封（不正開封）することを防止することができる。したがって、不正開封者による読取情報の不正使用を防止することができる。
【００１０】
一方、開封用情報コードの読み取りに応じて第２順序変更手段により判定用順序が上記所定の順序に再設定されるように変更されるので、例えば、製品のメンテナンス時には開封用情報コードを読み取った後に予め定められる上記所定の順序に従い各締結部材を取り外すことで、読取情報を消去させることなく筐体を開封することができる。
【００１１】
特に、不正開封者が開封用情報コードを不正に取得した場合でも、上記所定の順序をも取得しなければ、読取情報を消去させることなく筐体を開封することは不可能である。また、不正開封者が上記所定の順序を不正に取得した場合でも、開封用情報コードをも取得しなければ、読取情報を消去させることなく筐体を開封することは不可能である。
したがって、当該光学的情報読取装置のセキュリティ性を向上させることができる。
【００１２】
請求項２の発明では、消去手段に代えて機能制限手段が設けられており、この機能制限手段は、判定手段による取り外し順序が判定用順序に一致しないとの判定に応じて読取情報を取り扱うための機能を制限する。これにより、不正開封と判定された場合には読取情報の取り扱いが制限されるので、読取情報を消去する場合と同等の効果を得ることができる。
【００１３】
請求項３の発明では、報知手段は、判定手段による取り外し順序が上記判定用順序に一致しないとの判定に応じて正常開封でない旨を開封者に報知する。これにより、開封者が、開封用情報コードの読み取りを忘れて各締結部材を取り外す場合や、開封用情報コードを読み取っても誤って上記所定の順序と異なる取り外し順序で各締結部材を取り外してしまう場合には、その旨が報知される。この報知を受けて、正常開封者が、例えば、所定のキー操作等の予め設定された解除処理を実施することにより、誤って読取情報の消去や取り扱いの制限が実施されることをなくすことができる。
【００１４】
請求項４の発明では、警報手段は、判定手段による取り外し順序が判定用順序に一致しないとの判定に応じて周囲に警報を発する。これにより、不正開封者が筐体を不正開封すると、周囲に例えば警告音等で警報されるので、不正開封者による読取情報の不正使用を防止するだけでなく、不正開封者による不正開封行為を周囲に知らせることができる。
【００１５】
請求項５の発明では、第１順序変更手段は、第１ケースと第２ケースとが組み付けられるかまたは分離される際、すなわち、筐体が組み付けられるかまたは開封される際に、判定用順序を異なる順序に変更する。これにより、筐体が組み付けられるかまたは開封される毎に、判定用順序が異なる順序に変更されるので、セキュリティ性をより向上させることができる。
【００１６】
請求項６の発明では、第１順序変更手段は、読取手段への電力供給が開始される際に、判定用順序を異なる順序に変更する。これにより、読取手段への電力供給が開始される毎に、判定用順序が異なる順序に変更されるので、セキュリティ性をより向上させることができる。
【００１７】
請求項７の発明では、第１ケースおよび第２ケースのいずれか一方には、電池を収容するための収容部が形成されるとともにこの収容部を閉塞するための電池蓋が着脱可能に取り付けられている。そして、第１順序変更手段は、電池蓋により収容部が閉塞されるかまたは開放される際に、判定用順序を異なる順序に変更する。これにより、電池蓋により収容部が閉塞されるかまたは開放される毎に、判定用順序が異なる順序に変更されるので、セキュリティ性をより向上させることができる。
【００１８】
請求項８の発明では、開封者が所定の順序を設定可能な順序設定手段が設けられている。これにより、開封者が所望の取り外し順所を上記所定の順序として設定することができるので、セキュリティ性をより向上させることができる。
【００１９】
請求項９の発明では、第１順序変更手段は、判定手段による取り外し順序が判定用順序に一致しないとの判定に応じて判定用順序を異なる順序に変更する。例えば、不正開封者が読取情報の消去や取り扱いの制限を解除する処理方法を知っていれば、予め設定された判定用順序を知らなくても、各締結部材の取り外しと解除処理とを何回か繰り返すうちにこの判定用順序を探し当て、不正に筐体を開封してしまうおそれがある。請求項９では、この不正開封者による読取情報の不正使用を防止するために、判定手段による取り外し順序が判定用順序に一致しないと判定される毎に、判定用順序は第１順序変更手段により例えばランダムに異なる順序に変更される。このため、不正開封者が判定用順序を探し当てることが難くなり、不正開封者による筐体の不正開封を防止でき、セキュリティ性をより向上させることができる。
【００２０】
請求項１０の発明では、判定手段による取り外し順序が判定用順序に一致しない場合に消去手段による消去を回避するか否かを判定する回避判定手段を備えている。そして、判定手段による取り外し順序が判定用順序に一致しないとの判定が規定回数を超えてなされると回避判定手段による判定を実施することなく消去手段による消去を実施する。例えば、不正開封者が読取情報の消去を解除する処理方法を知っていれば、予め設定された判定用順序を知らなくても、各締結部材の取り外しと解除処理とを何回か繰り返すうちにこの判定用順序を探し当て、不正に筐体を開封してしまうおそれがある。請求項１０では、この不正開封者による読取情報の不正使用を防止するために、各締結部材の取り外しと解除処理とが繰り返し行われて判定手段による取り外し順序が判定用順序に一致しないとの判定が規定回数を超えてなされると、不正開封とみなされて読取情報の消去処理が回避されることなく読取情報が消去される。このため、不正開封者が判定用順序を探し当てることが難くなり、不正開封者による筐体の不正開封を防止でき、セキュリティ性をより向上させることができる。また、例えば正常開封者が、誤って上記所定の順序と異なる取り外し順序で各締結部材を取り外してしまった場合には、判定手段による取り外し順序が判定用順序に一致しないとの判定が規定回数を超えてなされていなければ、回避判定手段により読取情報の消去を回避することができる。
【００２１】
請求項１１の発明では、判定手段による取り外し順序が判定用順序に一致しない場合に機能制限手段による制限を回避するか否かを判定する回避判定手段を備えている。そして、判定手段による取り外し順序が判定用順序に一致しないとの判定が規定回数を超えてなされると回避判定手段による判定を実施することなく機能制限手段による制限を実施する。例えば、不正開封者が読取情報の取り扱いの制限を解除する処理方法を知っていれば、予め設定された判定用順序を知らなくても、各締結部材の取り外しと解除処理とを何回か繰り返すうちにこの判定用順序を探し当て、不正に筐体を開封してしまうおそれがある。請求項１１では、この不正開封者による読取情報の不正使用を防止するために、各締結部材の取り外しと解除処理が繰り返し行われて、判定手段による取り外し順序が判定用順序に一致しないとの判定が規定回数を超えてなされると、不正開封とみなされて読取情報の取り扱いが制限される。このため、不正開封者が判定用順序を探し当てることが難くなり、不正開封者による筐体の不正開封を防止でき、セキュリティ性をより向上させることができる。また、例えば正常開封者が、誤って上記所定の順序と異なる取り外し順序で各締結部材を取り外してしまった場合には、判定手段による取り外し順序が判定用順序に一致しないとの判定が規定回数を超えてなされていなければ、回避判定手段により読取情報の取り扱いの制限を回避することができる。
【図面の簡単な説明】
【００２２】
【図１】本第１実施形態に係るバーコードリーダの構成概要を示す図であり、図１（Ａ）は背面図、図１（Ｂ）は一部断面で示す側面図である。
【図２】締結用貫通孔を挿通したねじが被締結部に締結される締結状態の導通部を示す説明図である。
【図３】バーコードリーダの不正開封対策処理に関する電気的構成を示すブロック図である。
【図４】本第１実施形態における主制御回路による不正開封対策処理の流れを例示するフローチャートである。
【図５】図５（Ａ）は、判定用順序が開封用順序に設定される状態を示す説明図であり、図５（Ｂ）は、判定用順序がランダムに変更される状態を示す説明図である。
【図６】本第２実施形態における主制御回路による不正開封対策処理の流れを例示するフローチャートである。
【図７】本第３実施形態における主制御回路による不正開封対策処理の流れを例示するフローチャートである。
【発明を実施するための形態】
【００２３】
以下、本発明の光学的情報読取装置をバーコードリーダに適用した各実施形態について図を参照して説明する。
［第１実施形態］
まず、本第１実施形態に係るバーコードリーダ１０の構成概要を図１〜図３に基づいて説明する。図１は、本第１実施形態に係るバーコードリーダ１０の構成概要を示す図であり、図１（Ａ）は背面図、図１（Ｂ）は一部断面で示す側面図である。図２は、締結用貫通孔１２ｃを挿通したねじ４１が被締結部１３ａに締結される締結状態の導通部５１を示す説明図である。図３は、バーコードリーダ１０の不正開封対策処理に関する電気的構成を示すブロック図である。
【００２４】
図１（Ａ），（Ｂ）に示すように、バーコードリーダ１０は、裏側ケース１２および表側ケース１３からなる筐体１１内に制御基板２０等の各種電気部品と、各種電気部品の電源として機能する電池３０とが収容されるように構成されている。この筐体１１内の電気的構成は、公知のコードリーダ（バーコードリーダ、二次元コードリーダ等）とほぼ同様の構成とすることができる。なお、電池３０は、例えば、リチウムイオン電池、ニッケル水素電池、ニッケルカドミウム電池等の充放電可能な二次電池や、マンガン乾電池、アルカリ乾電池等の一次電池によって構成されている。
【００２５】
表側ケース１３の内面側には、制御基板２０が固定されており、この制御基板２０の電池側端部には、コネクタ等を介して電池３０からの電力が供給されている。また、表側ケース１３の表面には、複数の操作キー１４が配置されており、各操作キー１４を操作することにより、この操作に応じた所定の情報が制御基板２０の主制御回路２１に入力される。
【００２６】
裏側ケース１２には、電池３０を収容可能な電池収容部１２ａが設けられており、当該電池収容部１２ａは、図１（Ｂ）に示すように、一方が箱状に開口するように形成されている。この電池収容部１２ａの開口部は、裏側ケース１２に対して着脱可能に形成された電池蓋１５によって閉塞され得る構成となっている。
【００２７】
裏側ケース１２および表側ケース１３は、裏側ケース１２に形成される６つの環状凹部１２ｂの締結用貫通孔１２ｃを挿通する金属製の６つのねじ４１〜４６により締結されて組み付けられることにより、筐体１１を構成する。なお、各ねじ４１〜４６は、特許請求の範囲における「締結部材」の一例に相当する。
【００２８】
各環状凹部１２ｂは同じ構成であるため、ねじ４１が締結される環状凹部１２ｂを代表して説明する。
図２に示すように、環状凹部１２ｂの底面にはねじ４１のねじ部が挿通する締結用貫通孔１２ｃが形成されている。また、環状凹部１２ｂの底面の所定の部位には導電性塗料が塗布されており、この塗布部位１２ｄと締結用貫通孔１２ｃを挿通して表側ケース１３の被締結部１３ａに締結されるねじ４１とにより所定の抵抗値（以下、締結時抵抗値Ｒともいう）を有する導通部５１が構成される。この導通部５１は、被締結部１３ａからねじ４１を取り外した非締結状態における抵抗値が締結状態における締結時抵抗値Ｒよりも大きくなるように構成されている。なお、ねじ４２〜４６が締結される各環状凹部１２ｂもそれぞれ上述のように導通部５２〜５６を有するように構成されている。
【００２９】
次に、バーコードリーダ１０の不正開封対策処理に関する電気的構成について、図３を用いて説明する。
図３に示すように、制御基板２０には、主に、主制御回路２１と、受光センサ２２と、個人情報等の所定の情報が記憶されるメモリ２３と、各ねじ４１〜４６の締結状態を検知可能な締結状態検知回路２４と、メモリ２３の情報を消去可能な消去用制御回路２５と、電池蓋１５による電池収容部１２ａの開閉状態を検知可能な接触センサ２６と、ブザー２７とが電気的に接続されるように配置されている。
【００３０】
主制御回路２１は、操作キー１４等の操作に応じて受光センサ２２から出力される受光信号に基づいて外部の情報を読み取りこの読取情報を制御してメモリ２３に記憶する情報処理に関する機能を有する。また、主制御回路２１は、筐体１１が不正開封されたか否かを検知するとともに不正開封時にはメモリ２３に記憶される読取情報の消去等の不正開封対策処理に関する機能を有する。なお、主制御回路２１は、特許請求の範囲における「読取手段、判定手段」の一例に相当する。また、メモリ２３は、特許請求の範囲における「記憶手段」の一例に相当する。
【００３１】
締結状態検知回路２４は、各導通部５１〜５６の抵抗値をそれぞれ検知し、導通部５１〜５６のいずれかの抵抗値が締結時抵抗値Ｒより大きく設定される所定の閾値Ｒｔを超えると、対応するいずれかのねじ４１〜４６が被締結部１３ａから取り外された非締結状態であることを検知して、非締結状態検知信号Ｓ１〜Ｓ６のいずれかを主制御回路２１に出力する。例えば、ねじ４１が被締結部１３ａから取り外されると、非締結状態検知信号Ｓ１が主制御回路２１に出力されることとなる。なお、締結状態検知回路２４および各導通部５１〜５６は、特許請求の範囲における「検出手段」の一例に相当する。
【００３２】
消去用制御回路２５は、主制御回路２１から出力される消去信号に基づいて、メモリ２３に記憶される読取情報を消去する。
【００３３】
接触センサ２６は、裏側ケース１２に取り付けられた電池蓋１５の所定の部位に接触することにより接触信号を出力する。すなわち、電池収容部１２ａの開口部が電池蓋１５により閉塞される状態では、接触センサ２６から接触信号が出力されることとなる。
【００３４】
ブザー２７は、ビープ音やアラーム音を発生可能に構成されており、主制御回路２１からの報知信号に応じて開封者が認識できる程度に鳴動するとともに、警告信号に応じて周囲に警告可能に鳴動する。
【００３５】
次に、主制御回路２１による不正開封対策処理について説明する。図４は、本第１実施形態における主制御回路２１による不正開封対策処理の流れを例示するフローチャートである。図５（Ａ）は、判定用順序が開封用順序に設定される状態を示す説明図であり、図５（Ｂ）は、判定用順序がランダムに変更される状態を示す説明図である。なお、図５（Ａ），（Ｂ）において、円内の数字は、判定用順序を示している。
【００３６】
本第１実施形態に係る不正開封対策処理では、各ねじ４１〜４６の取り外しをそれぞれ検知し、検知される各ねじ４１〜４６の取り外し順序と判定用順序とが一致しない場合に筐体１１の不正開封であるとして、メモリ２３に記憶されている読取情報が消去される。この判定用順序は、後述するようにランダムに変更されるようになっており、開封用バーコードを読み取った場合に、予め設定される開封用順序に変更される。
【００３７】
以下、不正開封対策処理の具体的な流れについて図を参照して詳細に説明する。なお、以下の説明では、各ねじ４１〜４６が全て締結状態であり、電池蓋１５が裏側ケース１２に取り付けられた状態から説明する。
【００３８】
主制御回路２１への電力供給が開始されると、まず、図４のステップＳ１０１において、判定用順序の変更処理がなされる。この処理では、筐体１１の不正開封か否かを判定するための判定用順序がランダムに変更されてこの判定用順序がメモリ２３に記憶される。具体的には、例えば、図５（Ａ）に示すように、判定用順序が予め設定される開封用順序に一致してねじ４２→４５→４６→４１→４４→４３の順序で取り外すように設定されている場合に、上記処理を実施することにより、図５（Ｂ）に示すように、判定用順序がねじ４１→４６→４３→４４→４５→４２の順序に変更される。なお、上記判定用順序の変更処理では、判定用順序をランダムに変更することに限らず、予め設定される所定数の取り外し順序のいずれかに変更されてもよい。なお、ステップＳ１０１の処理を実行する主制御回路２１は、特許請求の範囲における「第１順序変更手段」の一例に相当する。また、開封用順序は、特許請求の範囲における「所定の順序」に相当する。
【００３９】
次に、ステップＳ１０３において、接触センサ２６から接触信号が入力されているか否かについて判定される。この段階では、電池蓋１５が裏側ケース１２に取り付けられた状態であるので、接触信号が入力されており、ステップＳ１０３にてＹｅｓと判定される。
【００４０】
そして、ステップ１０５にて開封用バーコードが読み取られたか否かについて判定される。開封用バーコードは、判定用順序を開封用順序に変更する際に読み取られるための開封用情報コードであり、筐体１１を開封する必要がなく開封用バーコードが読み取られない場合には（Ｓ１０５でＮｏ）、ステップＳ１０７における処理を実施することなくステップＳ１０９の判定処理がなされる。
【００４１】
ステップＳ１０９において、ねじ４１〜４６が全て外されているか否かについて判定される。この段階では、ねじ４１〜４６はいずれも取り外されておらず、非締結状態検知信号Ｓ１〜Ｓ６のいずれもが入力されていないので、ステップＳ１０９にてＮｏと判定される。
【００４２】
そして、ステップＳ１１１において、ねじ４１〜４６のいずれかが取り外されたか否かについて判定される。この段階では、非締結状態検知信号Ｓ１〜Ｓ６のいずれもが入力されていないので、ステップＳ１１１にてＮｏと判定される。
【００４３】
上述のように、全てのねじ４１〜４６が締結状態であるからステップＳ１１３にて読取処理が実行される。この処理は、バーコードリーダ１０の通常処理であって、トリガーキー等の操作キー１４が操作されるとこの操作に応じて照明光源（図示略）からの照明光が照射される。この照射光がバーコードにて反射されて反射光として受光センサ２２にて受光されると、この受光センサからの受光信号が公知のデコード処理によりデコードされて読取情報としてメモリ２３に記憶される。そして、ステップＳ１０３からの処理が繰り返される。
【００４４】
上述のステップＳ１０３からの繰り返し処理中に、不正開封者が筐体１１を開封するために、まず、ねじ４１〜４６のいずれか１つが取り外されて非締結状態検知信号Ｓ１〜Ｓ６のいずれかが入力されると、ステップＳ１１１においてＹｅｓと判定されて、ステップＳ１１５において、取り外し順序が判定用順序に一致するか否かについて判定される。
【００４５】
不正開封者は判定用順序を知らないために、初めに外されたねじが判定用順序の１番目に設定されているねじに一致する確率は低く、仮に一致したとしても続いて外されたねじが判定用順序の２番目に設定されているねじに一致する確率はさらに低くなる。すなわち、不正開封者が６本のねじ４１〜４６を判定用順序に一致するように取り外すことは不可能であるから、ステップＳ１１５にてＮｏと判定されることとなる。
【００４６】
ステップＳ１１５にてＮｏと判定されると、ステップＳ１１７にて報知処理がなされて報知信号がブザー２７に出力されて、ブザー２７が開封者が認識できる程度に鳴動する。
【００４７】
次に、ステップＳ１１９にて解除処理が実施されたか否かが判定され、不正開封者であれば、解除処理を知らないことから、Ｎｏと判定されることとなる。
【００４８】
そして、ステップＳ１２１にて消去処理がなされて消去信号が消去用制御回路２５に出力され、この消去用制御回路２５によりメモリ２３に記憶される全ての読取情報が消去される。これにより、不正開封者による読取情報の不正使用を防止することができる。なお、ステップＳ１２１の処理を実行する主制御回路２１は、特許請求の範囲における「消去手段」の一例に相当する。
【００４９】
次に、ステップＳ１２３にて警報処理がなされて警報信号がブザー２７に出力され、ブザー２７が周囲に警報を発するように鳴動する。これにより、不正開封者による読取情報の不正使用を防止するだけでなく、不正開封者による不正開封行為を周囲に知らせることができる。なお、ステップＳ１２３の処理を実行する主制御回路２１は、特許請求の範囲における「警報手段」の一例に相当する。
【００５０】
一方、正常開封者であれば、開封用バーコードの読み取り操作を実施するため、ステップＳ１０５にてＹｅｓと判定される。そして、ステップＳ１０７にて、判定用順序が予め設定された開封用順序に一致するように変更されてこの判定用順序がメモリ２３に記憶される処理がなされる。具体的には、例えば、図５（Ｂ）に示すように、判定用順序がねじ４１→４６→４３→４４→４５→４２の順序で取り外すように設定されている場合に、上記処理を実施することにより、図５（Ａ）に示すように、判定用順序が予め設定される開封用順序に一致してねじ４２→４５→４６→４１→４４→４３の順序に変更される。なお、ステップＳ１０７の処理を実行する主制御回路２１は、特許請求の範囲における「第２順序変更手段」の一例に相当する。
【００５１】
そして、正常開封者により開封用順序に応じてまずねじ４２が取り外されると、ステップＳ１１１にてＹｅｓと判定されるとともにステップＳ１１５にてＹｅｓと判定される。そして、正常開封者が開封用順序に応じて他のねじを取り外すことにより、上述したステップ１１７以降の処理がなされることなく筐体１１が開封される。これにより、正常開封者は、読取情報を消去させることなく筐体１１を開封することができる。
【００５２】
そして、ステップＳ１０９にてＹｅｓと判定されることにより、ステップＳ１０１にて判定用順序が変更される。これにより、裏側ケース１２および表側ケース１３とが分離されて筐体１１が正常に開封される際には、判定用順序を予め設定される開封用順序とは異なる順序に変更することができる。
【００５３】
また、開封者が電池蓋１５を裏側ケース１２から取り外すと、接触センサ２６からの接触信号が出力されなくなるために、ステップＳ１０３にてＮｏと判定されて、ステップＳ１０１にて判定用順序が変更される。これにより、電池蓋１５が裏側ケース１２から取り外されて電池収容部１２ａが開放される際には、判定用順序を予め設定される開封用順序とは異なる順序に変更することができる。
【００５４】
また、正常開封者が開封用バーコードの読み取りを忘れて各ねじ４１〜４６を取り外してしまう場合や、開封用バーコードを読み取っても誤って上記開封用順序と異なる取り外し順序で各ねじ４１〜４６を取り外してしまう場合には、ステップＳ１１５にてＮｏと判定される。
【００５５】
そして、ステップＳ１１７にて上述した報知処理がなされ、不正開封と判定された旨がブザー２７の鳴動により、正常開封者に報知される。この報知を受けて、正常開封者が、所定の操作キー１４を操作する等の予め設定された所定の解除処理を実施することにより、ステップＳ１１９にてＹｅｓと判定されて、上述したステップＳ１２１以降の処理を実施することなく、ステップＳ１０３からの処理がなされる。このため、正常開封者による誤った各ねじ４１〜４６の取り外し作業により、読取情報の消去や警報処理が実施されることをなくすことができる。なお、ステップＳ１１７の処理を実行する主制御回路２１は、特許請求の範囲における「報知手段」の一例に相当する。
【００５６】
以上説明したように、本第１実施形態に係るバーコードリーダ１０では、各導通部５１〜５６および締結状態検知回路２４により、筐体１１に締結される各ねじ４１〜４６の締結状態を検出するとともに、主制御回路２１により、検出される各ねじ４１〜４６の取り外し順序が判定用順序に一致するか否かについて判定される。この判定用順序は、ステップＳ１０１の処理により異なる順序に変更されるか、開封用情報コードが読み取られることに応じてステップＳ１０７の処理により開封用順序に変更される。そして、各ねじ４１〜４６の取り外し順序が判定用順序に一致しないとの判定、すなわち、筐体１１の不正開封であるとの判定に応じて、メモリ２３の読取情報が消去される。
【００５７】
これにより、読取情報を消去させることなく筐体１１を開封するためには、各ねじ４１〜４６の取り外し順序を判定用順序に一致させる必要があり、この判定用順序はランダムに異なる順序に変更されることから、不正開封者が読取情報を消去させることなく筐体１１を開封（不正開封）することを防止することができる。したがって、不正開封者による読取情報の不正使用を防止することができる。
【００５８】
一方、開封用情報コードの読み取りに応じて判定用順序が開封用順序に再設定されるように変更されるので、例えば、製品のメンテナンス時には開封用情報コードを読み取った後に予め定められる開封用順序に従い各ねじ４１〜４６を取り外すことで、読取情報を消去させることなく筐体１１を開封することができる。
【００５９】
特に、不正開封者が開封用情報コードを不正に取得した場合でも、上記開封用順序をも取得しなければ、読取情報を消去させることなく筐体１１を開封することは不可能である。また、不正開封者が上記開封用順序を不正に取得した場合でも、開封用情報コードをも取得しなければ、読取情報を消去させることなく筐体１１を開封することは不可能である。
したがって、当該バーコードリーダ１０のセキュリティ性を向上させることができる。
【００６０】
また、本第１実施形態に係るバーコードリーダ１０では、各ねじ４１〜４６の取り外し順序が上記判定用順序に一致しないとの判定に応じて、正常開封でない旨（不正開封と判定された旨）がブザー２７の鳴動により開封者に報知される。これにより、開封者が、開封用情報コードの読み取りを忘れて各ねじ４１〜４６を取り外す場合や、開封用情報コードを読み取っても誤って開封用順序と異なる取り外し順序で各ねじ４１〜４６を取り外してしまう場合には、その旨が報知される。この報知を受けて、正常開封者が、所定の操作キー１４を操作する等の予め設定された所定の解除処理を実施することにより、誤って読取情報が消去されることをなくすことができる。
【００６１】
さらに、本第１実施形態に係るバーコードリーダ１０では、各ねじ４１〜４６の取り外し順序が判定用順序に一致しないとの判定に応じて、ブザー２７が周囲に警報を発するように鳴動する。これにより、不正開封者が筐体１１を不正開封すると、周囲に警告音により警報されるので、不正開封者による読取情報の不正使用を防止するだけでなく、不正開封者による不正開封行為を周囲に知らせることができる。
【００６２】
さらに、本第１実施形態に係るバーコードリーダ１０では、筐体１１が開封される際に、判定用順序が異なる順序に変更される。これにより、筐体が開封される毎に、判定用順序が異なる順序に変更されるので、セキュリティ性をより向上させることができる。
【００６３】
さらに、本第１実施形態に係るバーコードリーダ１０では、主制御回路２１への電力供給が開始される際に、判定用順序が異なる順序に変更される。これにより、主制御回路２１への電力供給が開始される毎に、判定用順序が異なる順序に変更されるので、セキュリティ性をより向上させることができる。
【００６４】
さらに、本第１実施形態に係るバーコードリーダ１０では、電池蓋１５により電池収容部１２ａが開放される際に、判定用順序が異なる順序に変更される。これにより、電池蓋１５により電池収容部１２ａが開放される毎に、判定用順序が異なる順序に変更されるので、セキュリティ性をより向上させることができる。
【００６５】
［第２実施形態］
次に本第２実施形態に係るバーコードリーダ１０について、図６を参照して説明する。本第２実施形態では、上述したステップＳ１１５において、取り外し順序が判定用順序に一致しないと判定されると、後述するステップＳ２０１にて、判定用順序の変更処理がなされる点が主に異なる。したがって、上述した第１実施形態のバーコードリーダ１０と実質的に同一の構成部分には同一符号を付し、説明を省略する。
【００６６】
以下、本第２実施形態に係る主制御回路２１による不正開封対策処理について図６を用いて説明する。なお、上記第１実施形態と同様に、以下の説明では、各ねじ４１〜４６が全て締結状態であり、電池蓋１５が裏側ケース１２に取り付けられた状態から説明する。
まず、図６のステップＳ１０１において、判定用順序の変更処理がなされると、ステップＳ１０３において、接触センサ２６から接触信号が入力されているか否かについて判定される。この段階では、電池蓋１５が裏側ケース１２に取り付けられた状態であるので、接触信号が入力されており、ステップＳ１０３にてＹｅｓと判定される。
【００６７】
次に、ステップ１０５にて開封用バーコードが読み取られたか否かについて判定され、筐体１１を開封する必要がなく開封用バーコードが読み取られない場合には（Ｓ１０５でＮｏ）、ステップＳ１０７における処理を実施することなく、ステップＳ１０９においてねじ４１〜４６が全て外されているか否かの判定処理がなされる。
【００６８】
この段階では、ねじ４１〜４６はいずれも取り外されておらず、非締結状態検知信号Ｓ１〜Ｓ６のいずれもが入力されていないので、ステップＳ１０９にてＮｏと判定され、さらにステップＳ１１１において、ねじ４１〜４６のいずれかが取り外されたか否かの判定処理がなされ、Ｎｏと判定される。
【００６９】
上述のように、全てのねじ４１〜４６が締結状態であるからステップＳ１１３にて読取処理が実行される。そして、上述のステップＳ１０３からの繰り返し処理中に、不正開封者が筐体１１を開封するために、まず、ねじ４１〜４６のいずれか１つが取り外されて非締結状態検知信号Ｓ１〜Ｓ６のいずれかが入力されると、ステップＳ１１１においてＹｅｓと判定されて、ステップＳ１１５において、取り外し順序が判定用順序に一致するか否かについて判定される。このとき、不正開封者が６本のねじ４１〜４６を判定用順序と異なる取り外し順序で取り外すと、ステップＳ１１５にてＮｏと判定されることとなる。
【００７０】
ステップＳ１１５にてＮｏと判定されると、さらにステップＳ２０１にて、判定用順序の変更処理がなされることとなる。この処理では、上記ステップＳ１０１と同様に、筐体１１の不正開封か否かを判定するための判定用順序がランダムに変更されてこの判定用順序がメモリ２３に記憶される。このように、本第２実施形態では、上記ステップＳ１０１の処理に加えて、ステップＳ２０１においても取り外し順序が判定用順序に一致しないと判定される毎に、判定用順序の変更処理がなされることとなる。これにより、不正開封者が各ねじ４１〜４６の取り外しと解除処理とを何回か繰り返して予め設定された判定用順序を探し当てることが難しくなり、不正開封者により不正に筐体が開封されることが防止でき、セキュリティ性をより向上させることができる。なお、ステップＳ２０１の処理を実行する主制御回路２１は、特許請求の範囲における「第１順序変更手段」の一例に相当する。
【００７１】
ステップＳ２０１にて判定用順序の変更処理がなされると、ステップＳ１１７にて報知処理がなされて報知信号がブザー２７に出力されて、開封者が認識できる程度にブザー２７が鳴動する。
【００７２】
次に、ステップＳ１１９にて解除処理が実施されたか否かが判定され、不正開封者であれば、解除処理を知らないことから、Ｎｏと判定されることとなる。
【００７３】
そして、ステップＳ１２１にて消去処理がなされてメモリ２３に記憶される全ての読取情報が消去され、さらに、ステップＳ１２３にて警報処理がなされて、ブザー２７が周囲に警報を発するように鳴動する。
【００７４】
一方、正常開封者であれば、開封用バーコードの読み取り操作を実施するため、上記第１実施形態と同様に、ステップＳ１０５にてＹｅｓと判定される。そして、ステップＳ１０７にて、判定用順序が予め設定された開封用順序に一致するように変更されてこの判定用順序がメモリ２３に記憶される処理がなされる。
【００７５】
そして、正常開封者により開封用順序に応じてねじ４１〜４６を取り外すことにより、上述したステップＳ２０１以降の処理がなされることなく筐体１１が開封される。これにより、正常開封者は、読取情報を消去させることなく筐体１１を開封することができる。
【００７６】
そして、ステップＳ１０９にてＹｅｓと判定されることにより、ステップＳ１０１にて判定用順序が変更される。また、開封者が電池蓋１５を裏側ケース１２から取り外すと、接触センサ２６からの接触信号が出力されなくなるために、ステップＳ１０３にてＮｏと判定されて、ステップＳ１０１にて判定用順序が変更されることとなる。
【００７７】
以上説明したように、本第２実施形態に係るバーコードリーダ１０では、不正開封者が６本の各ねじ４１〜４６を判定用順序と異なる取り外し順序で取り外した場合に、各ねじ４１〜４６の取り外し順序が判定用順序に一致しないと判定されると、ステップＳ２０１にて判定用順序の変更処理がなされることとなる。これにより、上記ステップＳ１０１の処理に加えて、ステップＳ２０１においても取り外し順序が判定用順序に一致しないと判定される毎に判定用順序の変更処理がなされるので、不正開封者が各ねじ４１〜４６の取り外しとステップＳ１１９の解除処理とを何回か繰り返して予め設定された判定用順序を探し当てることが難しくなり、不正開封者により不正に筐体１１が開封されることが防止でき、セキュリティ性をより向上させることができる。
【００７８】
［第３実施形態］
次に、本第３実施形態に係るバーコードリーダ１０について、図７を参照して説明する。本第３実施形態では、上述したステップＳ１１５にて取り外し順序が判定用順序に一致しないと判定される回数が規定回数を超えてなされていると判定されると、ステップＳ１１９にて解除処理が実施されたか否かの判定がなされることなく、ステップＳ１２１にて読取情報の消去処理がなされる点が主に異なる。したがって、上述した第１実施形態のバーコードリーダ１０と実質的に同一の構成部分には同一符号を付し、説明を省略する。
【００７９】
以下、本第３実施形態に係る主制御回路２１による不正開封対策処理について図７を用いて説明する。なお、上記第１実施形態と同様に、以下の説明では、各ねじ４１〜４６が全て締結状態であり、電池蓋１５が裏側ケース１２に取り付けられた状態から説明する。
まず、図７のステップＳ１０１において、判定用順序の変更処理がなされる。そして、接触センサ２６から接触信号が入力されているので、ステップＳ１０３にてＹｅｓと判定される。
【００８０】
次に、筐体１１を開封する必要がなく開封用バーコードが読み取られない場合には、ステップ１０５にてＮｏと判定されて、ステップＳ１０７における処理を実施することなく、ステップＳ１０９においてねじ４１〜４６が全て外されているか否かの判定処理がなされる。
【００８１】
そして、ねじ４１〜４６はいずれも取り外されておらずステップＳ１０９にてＮｏと判定されると、さらにステップＳ１１１において、ねじ４１〜４６のいずれかが取り外されたか否かの判定処理がなされ、Ｎｏと判定されて、ステップＳ１１３にて読取処理が実行される。
【００８２】
そして、上述のステップＳ１０３からの繰り返し処理中に、ねじ４１〜４６のいずれか１つが取り外されると、ステップＳ１１１においてＹｅｓと判定されて、ステップＳ１１５において、取り外し順序が判定用順序に一致するか否かについて判定される。このとき、不正開封者が６本のねじ４１〜４６を判定用順序と異なる取り外し順序で取り外すと、ステップＳ１１５にてＮｏと判定されることとなる。
【００８３】
そして、ステップＳ１１５にてＮｏと判定される回数ｎが、ステップＳ３０１にてインクリメント（ｎ＝ｎ＋１）されて、ステップＳ３０３にてｎがｎｏを超えているか否かについて判定される。ここで、ｎは、取り外し順序が判定用順序に一致しないと判定される回数に相当する。また、ｎｏは、あらかじめ設定される規定回数に相当し初期段階では０（ゼロ）に設定されており、本第３実施形態では、ｎｏ＝１に設定されている。なお、この規定回数ｎｏは、セキュリティ性に応じて適宜変更することができる。
【００８４】
ステップＳ３０３にてｎがｎｏ未満であると判定される場合には（Ｓ３０３でＮｏ）、正常開封者が誤って各ねじ４１〜４６を取り外したとみなされる。そして、ステップＳ１１７にて上述した報知処理がなされた後、正常開封者が、所定の解除処理を実施することにより、ステップＳ１１９にてＹｅｓと判定されて、上述したステップＳ１２１以降の処理を実施することなくステップＳ１０３からの処理がなされるので、読取情報の消去を回避することができる。なお、ステップＳ３０３の処理を実行する主制御回路２１は、特許請求の範囲における「回避判定手段」の一例に相当する。
【００８５】
一方、ステップＳ３０３にてｎがｎｏを超えていると判定される場合には、不正開封者が不正に各ねじ４１〜４６を取り外したとみなされる。そして、ステップＳ１１７にて報知処理およびステップＳ１１９にて解除処理が実施されたか否かの判定がなされることなく、ステップＳ１２１にて読取情報の消去処理がなされ、さらに、ステップＳ１２３にて警報処理がなされて、ブザー２７が周囲に警報を発するように鳴動する。
【００８６】
一方、正常開封者であれば、開封用バーコードの読み取り操作を実施するため、上記第１実施形態と同様に、ステップＳ１０５にてＹｅｓと判定される。そして、ステップＳ１０７にて、判定用順序が予め設定された開封用順序に一致するように変更されてこの判定用順序がメモリ２３に記憶される処理がなされる。
【００８７】
そして、正常開封者により開封用順序に応じてねじ４１〜４６を取り外すことにより、上述したステップＳ３０１以降の処理がなされることなく筐体１１が開封される。さらに、ステップＳ１０９にてＹｅｓと判定されることにより、ステップＳ１０１にて判定用順序が変更される。また、開封者が電池蓋１５を裏側ケース１２から取り外すと、ステップＳ１０３にてＮｏと判定されて、ステップＳ１０１にて判定用順序が変更されることとなる。
【００８８】
以上説明したように、本第３実施形態に係るバーコードリーダ１０では、各ねじ４１〜４６の取り外し順序が判定用順序に一致しないと判定される回数ｎが、ステップＳ３０１にて演算される。そして、ステップＳ３０３にてこの判定される回数ｎが規定回数ｎｏ未満であると判定される場合には、ステップＳ１２１の消去処理およびステップＳ１２３の警告処理が実施されず、ステップＳ１１７にて報知処理がなされる。一方、この判定される回数ｎが規定回数ｎｏを超えていると判定されると、ステップＳ１１９にて解除処理が実施されたか否かの判定がなされることなく、ステップＳ１２１にて読取情報の消去処理がなされることとなる。これにより、ｎがｎｏ未満であると判定される場合には、正常開封者が誤って判定用順序と異なる取り外し順序で各ねじ４１〜４６を取り外したとみなされて、読取情報の消去を回避することができる。また、ｎがｎｏを超えていると判定される場合には、不正開封者が不正に各ねじ４１〜４６を取り外したとみなされて、読取情報の消去処理が回避されることなく読取情報が消去される。このため、例えば、読取情報の消去を解除する処理方法を知っている不正開封者が、各ねじ４１〜４６の取り外しと解除処理とを何回か繰り返して予め設定されている判定用順序を探し当てることが難しくなり、不正開封者による筐体の不正開封を防止でき、セキュリティ性をより向上させることができる。
【００８９】
なお、本発明は上記各実施形態に限定されるものではなく、以下のように具体化してもよく、その場合でも、上記各実施形態と同等の作用・効果が得られる。
（１）上述した消去処理では、全ての読取情報を消去することに限らず、一部の読取情報を消去してもよい。
また、上記消去処理に代えて、読取情報を取り扱うための機能を制限する機能制限処理を実施するようにしてもよい。これにより、不正開封と判定された場合にはメモリ２３に記憶された読取情報の取り扱いが制限されるので、メモリ２３の読取情報を消去する場合と同等の効果を得ることができる。
【００９０】
（２）上述した開封用順序は、正常開封者の所望の取り外し順序に変更されてもよい。具体的には、例えば、正常開封者が開封用バーコードを読み取った後に所定の操作キー１４を操作することにより、開封用順序を所望の取り外し順序に変更する。これにより、正常開封者が所望の取り外し順所を開封用順序として設定することができるので、セキュリティ性をより向上させることができる。
【００９１】
（３）ブザー２７に代えて、発光部や振動部を採用するとともに、上記ステップＳ１１７における報知処理において、発光部の発光や振動部の振動により、不正開封と判定された旨を開封者に報知してもよい。
【００９２】
（４）上述した判定用順序は、筐体１１が組み付けられる際に異なる順序に変更されてもよいし、電池蓋１５により電池収容部１２ａが閉塞される際に異なる順序に変更されてもよい。
【００９３】
（５）締結状態検知回路２４は、各導通部５１〜５６の抵抗値に基づいて各ねじ４１〜４６の締結状態を検知することに限らず、例えば、各ねじ４１〜４６が被締結部１３ａに締結されるときの締結力を検知可能な応力センサを被締結部１３ａに設けて、この応力センサからの出力信号に基づいて各ねじ４１〜４６の締結状態を検知してもよい。
【００９４】
（６）締結状態検知回路２４は、各導通部５１〜５６の抵抗値を検知し当該導通部５１〜５６の抵抗値が締結時抵抗値Ｒを超えると非締結状態検知信号を主制御回路２１に出力することに限らず、単なる各導通部５１〜５６の抵抗値を検知可能なセンサとして構成されてもよい。
【００９５】
（７）なお、上述した実施形態では、光学的情報読取装置として、バーコードリーダを例示して説明したが、これに限られることはなく、例えば、二次元コードリーダなどの外部から光学的に取得した読取情報に対して不正使用を防止する必要がある装置であれば、上述と同様に作用および効果を得ることができる。
【符号の説明】
【００９６】
１０…バーコードリーダ（光学的情報読取装置）
１１…筐体
１２…裏側ケース（第１ケース）
１３…表側ケース（第２ケース）
１５…電池蓋
２１…主制御回路（読取手段，判定手段，第１順序変更手段，第２順序変更手段、回避判定手段）
２３…メモリ（記憶手段）
２４…締結状態検知回路（検出手段）
２５…消去用制御回路（消去手段）
２６…接触センサ
２７…ブザー（報知手段，警報手段）
３０…電池
４１〜４６…ねじ（締結部材）
５１〜５６…導通部（検出手段）
【図１】
2010118041.tif 000003
【図２】
2010118041.tif 000004
【図３】
2010118041.tif 000005
【図４】
2010118041.tif 000006
【図５】
2010118041.tif 000007
【図６】
2010118041.tif 000008
【図７】
2010118041.tif 000009